(57)【要約】      （修正有）【課題】異なるユーザーのニーズを満足させる最適な構造を組み立て、最良の打球効果を生じることができる組立式ゴルフクラブヘッドを提供する。【解決手段】組立式ゴルフクラブヘッドはヘッド本体２０および蓋キット４０を備える。ヘッド本体は前後および左右に開口溝２６〜２８を別々に有する。蓋キットは四つの蓋４１〜４３を有する。四つの蓋はベッド本体の四つの開口溝に対応して被さって配置される。四つの蓋は同じ材料または異なる材料によって製作され、ヘッド本体の重心位置を蓋の材料によって変えることができる。【選択図】図２
0003220462.tif 000002
【実用新案登録請求の範囲】
【請求項１】
ヘッド本体および蓋キットを備え、
前記ヘッド本体は、頂部、底部、つま先部、打球面、チャンバー、二つの相対する第一開口溝、第二開口溝および第三開口溝を有し、前記頂部と前記底部は上下対称になって一体に連結され、前記つま先部および前記打球面は相対して前記頂部および前記底部に連結されて一体になり、前記チャンバーは前記頂部、前記底部、前記つま先部および前記打球面によって囲まれて形成され、二つの相対する前記第一開口溝は前記頂部および前記底部の境目に形成され、前記第二開口溝は前記つま先部に形成され、前記第三開口溝は前記打球面に形成され、二つの前記第一開口溝、前記第二開口溝および前記第三開口溝は前記チャンバーに繋がり、
前記蓋キットは前記チャンバーを密封し、二つの第一蓋、第二蓋および第三蓋を有し、二つの前記第一蓋はそれぞれ前記ヘッド本体の前記第一開口溝に配置され、前記第二蓋は前記ヘッド本体の前記第二開口溝に配置され、前記第三蓋は前記ヘッド本体の前記第三開口溝に配置されることを特徴とする、
ゴルフクラブヘッド。
【請求項２】
前記第一開口溝は壁面に凸状支持部を有し、前記第一蓋は周縁部が前記凸状支持部に当接することを特徴とする請求項１に記載のゴルフクラブヘッド。
【請求項３】
前記ヘッド本体はさらに凹状嵌合溝を有し、前記第二開口溝の周縁部は前記凹状嵌合溝によって囲まれ、前記第二蓋は凸状嵌合部を有し、前記凸状嵌合部は前記ヘッド本体の前記凹状嵌合溝に嵌合されることを特徴とする請求項１に記載のゴルフクラブヘッド。
【請求項４】
前記第三蓋は周縁部が前記第三開口溝の壁面に当接することを特徴とする請求項１に記載のゴルフクラブヘッド。
【考案の詳細な説明】
【技術分野】
【０００１】
本考案はゴルフクラブヘッド、特に特注化できる組立式ゴルフクラブヘッドに関するものである。
【背景技術】
【０００２】
従来のゴルフクラブヘッドは鋳造技術によって一体成型される。最良の打球効果を発揮するためには嵌合方式によっておもりおよびゴルフクラブヘッドをまとめて固定することが一般的である。しかしながら、異なるユーザーが求めるおもりを満足させるには、業者はすべてのユニットに対応できる型を開発し、製作を行わざるを得ず、開発コストが高くつく。従って、特注化を実現させることは難しい。
【考案の概要】
【考案が解決しようとする課題】
【０００３】
本考案は異なるユーザーのニーズを満足させる最適な構造を組み立て、特注化を実現させることができる組立式ゴルフクラブヘッドを提供することを主な目的とする。
【課題を解決するための手段】
【０００４】
上述した課題を解決するための組立式ゴルフクラブヘッドは、ヘッド本体および蓋キットを備える。ヘッド本体は頂部、底部、つま先部、打球面、チャンバー、二つの相対する第一開口溝、第二開口溝および第三開口溝を有する。頂部と底部は上下対称になる。頂部の前後の相対する両側は底部の前後の相対する両側に連結されて一体になる。つま先部および打球面は左右対称になり、頂部の左右の相対する両側に連結されて一体になる。チャンバーは頂部、底部、つま先部および打球面によって囲まれて形成される。二つの相対する第一開口溝は頂部および底部の境目に形成される。第二開口溝はつま先部に形成される。第三開口溝は打球面に形成される。二つの第一開口溝、第二開口溝および第三開口溝はチャンバーに繋がる。蓋キットはチャンパーを密封し、二つの第一蓋、第二蓋および第三蓋を有する。二つの第一蓋はそれぞれヘッド本体の第一開口溝に被さって配置される。第二蓋はヘッド本体の第二開口溝に被さって配置される。第三蓋はヘッド本体の第三開口溝に被さって配置される。
【０００５】
前記の構造的特徴により、第一蓋、第二蓋および第三蓋を同じ材料または異なる材料で製作し、蓋の材料を介して構造全体の重心位置を変えられ、異なるユーザーのニーズを満足させる最適な構造を組み立てることで特注化を実現させることができる。
【０００６】
本考案による組立式ゴルフクラブヘッドの詳細な構造、特徴、組み立てまたは使用方法は、以下の実施形態の詳細な説明を通して明確にする。また、以下の詳細な説明および本考案により提示された実施形態は本考案を説明するための一例に過ぎず、本考案の請求範囲を限定できないことは、本考案にかかわる領域において常識がある人ならば理解できるはずである。  
【図面の簡単な説明】
【０００７】
【図１】本考案の一実施形態による組立式ゴルフクラブヘッドを示す平面図である。
【図２】本考案の一実施形態による組立式ゴルフクラブヘッドを示す分解斜視図である。
【図３】本考案の一実施形態による組立式ゴルフクラブヘッドを底面側から見た斜視図である。
【図４】本考案の一実施形態による組立式ゴルフクラブヘッドを底面側から見た分解斜視図である。
【図５】図１中の５−５線に沿った断面図である。
【図６】図１中の６−６線に沿った断面図である。
【考案を実施するための形態】
【０００８】
以下、本考案によるゴルフクラブヘッドを図面に基づいて説明する。なお、明細書において方向性用語は図面に示した方向に基づいて表現される。図中の同じ符号は同じ部品または類似した部品の構造特徴を示す。
【０００９】
（一実施形態）
図１から図４に示すように、本考案の一実施形態によるゴルフクラブヘッド１０はヘッド本体２０および蓋キット４０を備える。
【００１０】
ヘッド本体２０は、チタン、ステンレス鋼、アルミニウムまたは炭素繊維から一体成型され、頂部２１、底部２２、つま先部２３、打球面２４およびチャンバー２５を有する。頂部２１と底部２２は上下対称になる。頂部２１の前後の両側は底部２２の前後の両側に連結される。つま先部２３および打球面２４は左右対称になる。つま先部２３は頂部２１および底部２２の左側に連結される。打球面２４は頂部２１および底部２２の右側に連結される。
図５および図６に示すように、チャンバー２５は頂部２１、底部２２、つま先部２３お）よび打球面２４によって囲まれて形成される。    
【００１１】
ヘッド本体２０は、さらに二つの相対する第一開口溝２６、第二開口溝２７および第三開口溝２８を有する。それぞれの第一開口溝２６は頂部２１および底部２２の境目に形成される。第二開口溝２７はつま先部２３に形成される。第三開口溝２８は打球面２４に形成される。二つの第一開口溝２６、第二開口溝２７および第三開口溝２８はチャンバー２５に繋がる。
図４に示すように、それぞれの第一開口溝２６は壁面に凸状支持部２９を有する。第二開口溝２７は周縁部が凹状嵌合溝３０によって囲まれる。
【００１２】
蓋キット４０は、二つの第一蓋４１、第二蓋４２および第三蓋４３を有する。
図２、図４および図６に示すように、第一蓋４１はチタン、ステンレス鋼、アルミニウムまたは炭素繊維から一体成型され、連結方式によって周縁部がヘッド本体２０の凸状支持部２９に当接して固定される。連結方式は材料によって溶接方法または接着方法を採用する。蓋の材料が金属である場合、溶接方法を採用する。蓋の材料が炭素繊維である場合、接着方法を採用する。第一蓋４１はヘッド本体２０の第一開口溝２６を遮蔽する。第二蓋４２はチタン、ステンレス鋼、アルミニウムまたは炭素繊維から一体成型され、内側周縁部に凸状嵌合部４４を有する。
図２および図５に示すように、第二蓋４２は凸状嵌合部４４がヘッド本体２０の凹状嵌合溝３０に嵌合および固定されることによってヘッド本体２０の第二開口溝２７を遮蔽する。
図１および図５に示すように、第三蓋４３は周縁部がヘッド本体２０の第三開口溝２８の壁面に当接して固定されることによってヘッド本体２０の第三開口溝２８を遮蔽する。上述した構造特徴により、チャンバー２５は蓋キット４０によって密封される。
【００１３】
上述をまとめると、第一蓋４１、第二蓋４２および第三蓋４３を同じ材料または異なる材料で製作し、第一蓋４１、第二蓋４２および第三蓋４３の材料によって構造全体の重心位置を変えることができる。つまり、異なる型を大量開発する必要がなく、異なるユーザーのニーズを満足させる最適な構造を組み立てることができる。従って、製造コストを抑え、特注化を実現させることができる。
【符号の説明】
【００１４】
１０  ゴルフクラブヘッド
２０  ヘッド本体
２１  頂部
２２  底部
２３  つま先部
２４  打球面
２５  チャンバー
２６  第一開口溝
２７  第二開口溝
２８  第三開口溝
２９  凸状支持部
３０  凹状嵌合溝
４０  蓋キット
４１  第一蓋
４２  第二蓋
４３  第三蓋
４４  凸状嵌合部
【図１】
0003220462.tif 000003
【図２】
0003220462.tif 000004
【図３】
0003220462.tif 000005
【図４】
0003220462.tif 000006
【図５】
0003220462.tif 000007
【図６】
0003220462.tif 000008